(57)【要約】【課題】  製造ライン上での全数検査という形で内径を測定する場合であっても、測定のたびに校正作業を行って精密な測定結果を得ることのできる内径測定装置を提供する。【解決手段】  貫通孔５を有する内輪２が配置されるテーブル９と、テーブル９に配置してある内輪２の貫通孔５内に挿入される空気マイクロメータの測定ヘッド６と、テーブル９に配置してある内輪２の上方に位置する基準器１０とを具備する内径測定装置とする。基準器１０は校正用の貫通孔１８を有する。また、空気噴出用のノズル口１６を有する測定ヘッド６は、基準器１０の貫通孔１８内にノズル口１６を位置させる上方の校正位置と、内輪２の貫通孔５内にノズル口１６を位置させる下方の測定位置との間で往復駆動される。【選択図】        図１
2010060468.tif 000002
【特許請求の範囲】
【請求項１】
測定対象である凹部を有するワークが配置されるテーブルと、テーブルに配置してあるワークの凹部内に挿入される空気マイクロメータの測定ヘッドと、テーブルに配置してあるワークの上方に位置する基準器とを具備する内径測定装置であって、該基準器は校正用の貫通孔を有するものであり、空気噴出用のノズル口を有する該測定ヘッドは、基準器の貫通孔内にノズル口を位置させる上方の校正位置と、ワークの凹部内にノズル口を位置させる下方の測定位置との間で往復駆動されるものであることを特徴とする内径測定装置。
【請求項２】
測定時に基準器を降下させてワークの上面に乗せる上下駆動機構と、測定時にテーブルと測定ヘッドを相対的に回転させる回転駆動機構とを具備することを特徴とする請求項１に記載の内径測定装置。
【請求項３】
測定ヘッドが挿入される凹部は、ワークに形成してある断面円形状の貫通孔であることを特徴とする請求項１又は２に記載の内径測定装置。
【発明の詳細な説明】
【技術分野】
【０００１】
本発明は、内輪等のワークに設けた凹部の内径を測定する内径測定装置に関する。
【背景技術】
【０００２】
図４には、一般的な円錐ころ軸受け１の構成を示している。円錐ころ軸受け１は、円環状を成す内輪２と、内輪２外周の軌道面に転動自在に配されるころ部材３と、ころ部材３を介して内輪２が回動自在に嵌合する円環状の外輪４とで、主体を形成している。
【０００３】
内輪２の中央には断面円形状の貫通孔５が設けてあり、この貫通孔５の内径については、従来から内輪２の製造ライン上において全数検査することが行われている。ここでの内径測定には、例えば特許文献１に記載されているような空気マイクロメータを用いた内径測定装置が好適に用いられる。この内径測定装置によれば、内輪２に設けてある貫通孔５内に、僅かな隙間を介して空気マイクロメータの測定ヘッドを挿入し、挿入位置において測定ヘッドのノズル口から側方に空気を噴出してその背圧等を検知することにより、貫通孔の内径が測定される。
【０００４】
このように、製造ライン上での全数検査という形で内径を測定する場合、内輪２等の大量生産されるワーク７を次々と測定する必要があるため、測定するたびに空気マイクロメータの校正作業を行うことは困難である。したがって、環境温度等に変化が生じた場合には、精密な測定結果を得ることができない場合があるという問題があった。
【特許文献１】特開２００１−１０８４２８号公報
【発明の開示】
【発明が解決しようとする課題】
【０００５】
本発明は上記問題点に鑑みて発明したものであって、製造ライン上での全数検査という形で内径を測定する場合であっても、測定のたびに校正作業を行って精密な測定結果を得ることのできる内径測定装置を提供することを、課題とする。
【課題を解決するための手段】
【０００６】
上記課題を解決するために本発明を、測定対象である凹部８を有するワーク７が配置されるテーブル９と、テーブル９に配置してあるワーク７の凹部８内に挿入される空気マイクロメータの測定ヘッド６と、テーブル９に配置してあるワーク７の上方に位置する基準器１０とを具備した内径測定装置とする。基準器１０は校正用の貫通孔１８を有するものであり、空気噴出用のノズル口１６を有する測定ヘッド６は、基準器１０の貫通孔１８内にノズル口１６を位置させる上方の校正位置と、ワーク７の凹部８内にノズル口１６を位置させる下方の測定位置との間で往復駆動されるものである。
【０００７】
上記構成の内径測定装置によれば、製造ライン上で大量生産されるワーク７を全数検査する場合であっても、ワーク７を測定するたびに、上方に位置させた基準器１０を用いて空気マイクロメータの校正作業を行うことができる。したがって、環境温度等に変化が生じた場合であっても全てのワーク７に対して精密な測定結果を得ることができる。
【０００８】
また、上記構成の内径測定装置にあっては、測定時に基準器１０を降下させてワーク７の上面に乗せる上下駆動機構１１と、測定時にテーブル９と測定ヘッド６を相対的に回転させる回転駆動機構１２とを具備することが好適である。このようにすることで、ワーク７に設けた凹部８の内径を測定するとともに、凹部８の内径面の真円度についても測定することができる。しかも、ワーク７が軽量のものであっても、測定時には基準器１０の重量をワーク７に付加してテーブル９との間の摩擦抵抗を大幅に増大させるので、回転時にワーク７がテーブル９上で不意に動くことは防止される。したがって、ワーク７が軽量であっても、ワーク７をテーブル９に固定するための特別な機構や手間を要することなく、基準器１０を利用して速やかに且つ低コストで真円度を測定することができる。
【０００９】
また、測定ヘッド６が挿入される凹部８は、ワーク７に形成してある断面円形状の貫通孔５であることが好適である。このようにすることで、ワーク７をテーブル９上の所定箇所に順次セットしていけば、上方に位置させた基準器１０によって校正作業を行った空気マイクロメータの測定ヘッド６を用いて、ワーク７に形成した断面円形状の貫通孔５の内径を速やかに測定していくことができる。したがって、製造ライン上での全数検査という形で内径を測定する場合であっても、全てのワーク７に対して、環境温度等の変化に影響されることなく精密な測定結果を得ることが可能となる。
【発明の効果】
【００１０】
本発明は、製造ライン上での全数検査という形で内径を測定する場合であっても、測定のたびに校正作業を行うことにより、環境温度等の変化に影響されることなく精密な測定結果を得ることができるという効果を奏する。
【発明を実施するための最良の形態】
【００１１】
本発明を添付図面に示す実施形態に基づいて説明する。図１、図２には、本発明の実施形態における一例の内径測定装置を概略的に示している。図１は測定作業時、図２は校正作業時である。
【００１２】
本例の内径測定装置は、円錐ころ軸受け１を成す内輪２に設けた貫通孔５の内径を測定するものである。この内径測定装置の構造は、空気マイクロメータの測定ヘッド６を貫通孔５内に挿入した状態で、測定ヘッド６から側方に空気を噴出させることで、検知される背圧等を基にして貫通孔５の内径を測定する構造である。また、測定ヘッド６から側方に空気を噴出させると同時に、測定ヘッド６と内輪２を相対的に回転させることで、貫通孔５の内径面の真円度についても測定可能になっている。
【００１３】
なお、本例では、上記のように円錐ころ軸受け１の内輪２を測定対象のワーク７とし、該内輪２の貫通孔５の内径や真円度を測定するようになっているが、該内輪２の貫通孔５以外の内径や真円度を測定することも可能である。つまり、内輪２に設けた貫通孔５に限らず、ワーク７に貫通又は凹ませて形成してある凹部８の内径や真円度であれば、本発明の内径測定装置を用いて測定可能である。
【００１４】
本例の内径測定装置は、貫通孔５の開口部分が上方を向くようにして内輪２を所定位置に配置させるテーブル９と、テーブル９の上面１３に配置してある内輪２の貫通孔５に対して該貫通孔５の上端開口から挿入される空気マイクロメータの測定ヘッド６と、テーブル９に配置された内輪２の上方に保持されるリング状の基準器１０と、基準器１０を上下動させる上下駆動機構１１と、真円度を測定するに際してテーブル９を回転駆動させる回転駆動機構１２とを具備している。
【００１５】
以下、各構成について更に詳述する。テーブル９はその上面１３を水平に形成したものであって、該上面１３のうち少なくとも内輪２を配置する所定箇所に、粗いローレット加工を施してある。上記ローレット加工を施すことにより、前工程にて内輪２に付着した研磨油を逃がすための微細溝１４が、上面１３に多数凹設されている（図１（ｂ）参照）。
【００１６】
測定ヘッド６は円柱状を成しており、その外周面１５の下端近傍には、空気噴出用のノズル口１６を周方向に１８０度ずれた箇所に一対開口させている。測定ヘッド６の内部には給気路１７を貫通形成しており、該給気路１７の上流端を、空気マイクロメータの空気ポンプ（図示は省略）に接続させている。給気路１７は、その流路途中に設けた分岐箇所よりも下流側を、互いに逆方向にむけて二手に分岐させており、分岐したそれぞれの下流端にノズル口１６を形成している。測定ヘッド６は支持機構２５によって支持されるとともに、図１に示す測定位置と図２に示す校正位置との間の所定範囲内で、上下方向に往復駆動されるようになっている。
【００１７】
基準器１０は、その中央に貫通孔１８を有するリング状の部材である。貫通孔１８の内径面は、内輪２の貫通孔５の内径面の基準寸法となるように、精密に寸法形成してある。また、図１に示すように内輪２の上面に基準器１０を乗せたときには、内輪２の貫通孔５と基準器１０の貫通孔１８とが、上下一直線状に連通するように設けている。測定ヘッド６は、上方に位置する基準器１０の貫通孔１８を通じて、下方に位置する内輪２の貫通孔５内へと挿入される。基準器１０の外周面下部には、該基準器１０を持ち上げる際に用いる係止溝１９を、全周に亘って凹設している。
【００１８】
上下駆動機構１１は、基準器１０を引掛けて水平姿勢を保持したまま該基準器１０を上下動させるリフト機構２０から成る。リフト機構２０は、下端が開口した円筒状のリフト部材２１を上下動自在に備え、該リフト部材２１内に基準器１０を収納した構造である。リフト部材２１の下端開口縁からは、凸リブ状のフック２２を内方に延設しており、基準器１０に凹設した係止溝１９が、該フック２２によって下方から引掛け係止されるようになっている。
【００１９】
リフト部材２１が上下動する所定範囲の上端位置において（図２参照）、基準器１０は、内輪２に対してその上方に浮いた状態となってリフト部材２１に支持される。また、リフト部材２１が上下動する所定範囲の下端位置において（図１参照）、基準器１０は内輪２の上面に乗せられ、内輪２に対して該基準器１０の重量全体をかけるように配置される。
【００２０】
上記構成から成る本例の内径測定装置を用いて、内輪２の貫通孔５の内径や真円度を測定するにあたっては、まずテーブル９の上面１３の所定位置に、貫通孔５が上下方向に貫通した姿勢となるように内輪２を配置する。このとき、測定ヘッド６は貫通孔５の上方の校正位置にて待機させておく。また、基準器１０についても、リフト部材２１により引っ掛けて持ち上げた状態で内輪２の上方に待機させておく（図２参照）。この待機状態において、校正位置にある測定ヘッド６の下端部は基準器１０の貫通孔１８内に位置し、測定ヘッド６の一対のノズル口１６は、貫通孔１８の内周面と対向するように位置する。
【００２１】
ここで、基準器１０に設けてある貫通孔１８を利用して、空気マイクロメータの校正を行う。具体的には、校正位置にある測定ヘッド６において、基準器１０の貫通孔１８の内径面と対向する一対のノズル口１６から空気を噴出させて該貫通孔１８の内径を測定し、この測定結果を基にして空気マイクロメータの校正を行う。
【００２２】
次いで、校正作業の完了した測定ヘッド６を降下させるとともに、リフト部材２１と共に基準器１０を降下させていき、図１に示す測定状態に移行する。この測定状態において、測定位置にある測定ヘッド６は内輪２の貫通孔５内に先端側から挿入され、測定ヘッド６の一対のノズル口１６は貫通孔５の内径面と対向して位置することになる。また、基準器１０は、リフト部材２１から離間したうえで内輪２の上面に乗せ置かれる。
【００２３】
上記測定状態にセットしたうえで、空気マイクロメータの空気ポンプから給気路１７内に空気を送り込み、一対のノズル口１６から貫通孔５の内径面に向けて空気を噴出させるとともに、テーブル９を鉛直軸Ａ中心に回転駆動させる。なお、テーブル９の回転中心軸となる鉛直軸Ａは、内輪２の貫通孔５の中心軸と一致し、且つ、測定ヘッド６の中心軸と一致するように設けている。
【００２４】
ここで、仮に、基準器１０を乗せない状態のまま貫通孔５内に測定ヘッド６を挿入し、テーブル９を回転させた場合には、軽量である内輪２が不意に動きやすくなり、内輪２をテーブル９と同期して回転させることが困難となる。これは、貫通孔５と測定ヘッド６との間には僅かな隙間（例えば０．０３ｍｍ）しか存在しないため、内輪２が回転の影響を受けてしまうからである。
【００２５】
これに対して、上記のように測定時には内輪２の上に基準器１０を乗せることで、内輪２とテーブル９との間の摩擦抵抗を大幅に増大させ、内輪２をテーブル９上に確実に保持したまま一体に回転させることが可能となる。そして、テーブル９と共に内輪２を１８０度回転させながら、空気マイクロメータにて背圧を測定することにより、貫通孔５の内径とともにその内径面の真円度を測定することができる。
【００２６】
つまり、測定時に基準器１０を乗せるという手段を採用することによって、内輪２のような軽量のワーク７であっても、測定のたびにテーブル９上に固定するといった手間や特別な機構を要することなく、確実に且つ速やかに真円度を測定することが可能となる。したがって、本例の内径測定装置によれば、内輪２の貫通孔５の真円度測定についても、製造ライン上での全数検査という形で実施することが可能となる。
【００２７】
換言すれば、本例の基準器１０は、空気マイクロメータの基準器１０としての機能に加え、測定時において軽量の内輪２に重量を付加する重り部２３としての機能を併せ持つものである。
【００２８】
ところで図１等に示すように、測定ヘッド６の外周面１５の直径については、内径や真円度を測定するときに基準器１０の貫通孔１８内に位置する部分の直径を、他の部分（特にノズル口１６を開口させている下端部分）の直径よりも、僅かに小さく設けている。このように設けることで、テーブル９と同期して内輪２や基準器１０を回転させる際に、基準器１０の貫通孔１８の内径面に測定ヘッド６に当たって磨耗することを防止している。
【００２９】
測定が完了すると、再び基準器１０を引っ掛けて上方の校正位置にまで持ち上げておき、図２に示す状態において、測定完了後の内輪２を次回測定予定の内輪２と交換する。そして、内輪２の交換時間を利用して、再び基準器１０による空気マイクロメータの校正作業を行う。したがって、一つの内輪２を測定する直前には必ずマイクロメータの校正作業を行うことができ、大量の内輪２を次々と測定する場合であっても、その内径や真円度を、環境温度等の変化に影響されることなく精密に測定することが可能となる。
【００３０】
図３には、本例の内径測定装置を用いた内径・真円度測定工程を、内輪２の製造ライン中に組み入れた例を示している。図示例では、素材投入、端面研磨、軌道面研磨、ころ端面との接触面研磨、内径面研磨の各工程をこの順に実施した後に、本例の内径測定装置を用いた内径・真円度測定工程を実施し、その後に、軌道面超仕上げ工程、組立工程を順に実施する。
【００３１】
内径・真円度測定工程においては、内径面研磨後の内輪２を内径測定装置のテーブル９上に順次搬していき、基準器１０によって空気マイクロメータに校正作業を施した後に、搬送された内輪２の上面に基準器１０を乗せ、貫通孔５内に測定ヘッド６を挿入した状態でテーブル９を回転させることで、内径および真円度測定を行う。なお、直前の軌道面、内径面研磨工程において内輪２の表面には研磨油が付着しているが、既述のとおりテーブル９の上面１３には多数の微細溝１４を施してあるので、この微細溝１４を通じて研磨油が逃げることによって、油膜による内輪２の滑りは防止される。
【００３２】
そして、空気マイクロメータで測定される貫通孔５の内径および真円度が共に適正範囲内にある場合には、そのまま次の軌道面超仕上げ工程にまでその内輪２を搬送する。一方、貫通孔５の内径および真円度の少なくとも一方が適正範囲外となる場合には、その内輪２を次工程にまで搬送することなく製造ラインから排除する。
【００３３】
なお、図１、図２に示す内輪２は鍔部分を有さない形態となっているが、鍔部分を有する形態の内輪２を製造する場合にあっては、図３に示す軌道面研磨工程と内径面研磨工程との間に、更に鍔面研磨工程を組み入れる。
【００３４】
このように、本例の内径測定装置によれば、製造ライン上での全数検査という形で、内輪２の貫通孔５の内径検査や真円度検査を、精密に且つ速やかに行うことができる。しかも、このような測定を実現するために複雑な構造は必要でないため、上記全数検査が低コストで実施可能となる。
【００３５】
本例では、回転駆動機構１２として測定時にテーブル９のみを回転させる機構を採用し、更なる低コスト化を実現しているが、他の機構を用いてもよい。つまり、測定時にテーブル９と測定ヘッド６が鉛直軸Ａ中心に相対的に回転する機構であればよいので、例えば測定ヘッド６のみを回転させる機構であってもよいし、或いは、テーブル９と測定ヘッド６を共に回転させる機構であってもよい。
【図面の簡単な説明】
【００３６】
【図１】本発明の実施形態における一例の内径測定装置の測定状態を示しており、（ａ）は概略的な側断面図、（ｂ）は（ａ）のＰ部拡大図である。
【図２】同上の内径測定装置の校正状態を示す概略的な側断面図である。
【図３】同上の内径測定装置を用いた内径測定工程を有する、円錐ころ軸受の内輪製造工程のフロー説明図である。
【図４】円錐ころ軸受けの説明図である。
【符号の説明】
【００３７】
１  円錐ころ軸受け
２  内輪
５  貫通孔
６  測定ヘッド
７  ワーク
８  凹部
９  テーブル
１０  基準器
１１  上下駆動機構
１２  回転駆動機構
１６  ノズル口
１８  貫通孔
【図１】
2010060468.tif 000003
【図２】
2010060468.tif 000004
【図３】
2010060468.tif 000005
【図４】
2010060468.tif 000006